(57)【要約】 【課題】  デッドボルトに対する不正解錠を効果的に防止することができること。錠箱のコンパクト化を図ることができること。設計の自由度が増えること。【解決手段】  錠箱又は錠箱内に固定的に設けられた案内部材の案内部にスライド自在に案内されるデッドボルト、このデッドボルトの内端部側に設けられ、かつ、前記案内部の水平部分に案内されるデッド用第1可動ピン、この第１可動ピンに一端部が連結されていると共に、前記水平部分に続く段差状曲り部分に案内されるクランク用第２可動ピンを有するクランクアーム、このクランクアームの他端部を軸支し、かつ、シリンダ錠又はサムターンの回転操作により所定量回転するように錠箱の軸受けに配設されたダルマを備える錠前のデッドボルト押し出し機構。  【選択図】  図１
2006125058.tif 000002
【特許請求の範囲】
【請求項１】
錠箱又は錠箱内に固定的に設けられた案内部材の案内部にスライド自在に案内されるデッドボルト、このデッドボルトの内端部側に設けられ、かつ、前記案内部の水平部分に案内されるデッド用第1可動ピン、この第１可動ピンに一端部が連結されていると共に、前記水平部分に続く段差状曲り部分に案内されるクランク用第２可動ピンを有するクランクアーム、このクランクアームの他端部を軸支し、かつ、シリンダ錠又はサムターンの回転操作により所定量回転するように錠箱の軸受けに配設されたダルマを備える錠前のデッドボルト押し出し機構。  
【請求項２】
請求項１に於いて、施錠時、第１及び第２可動ピンは、水平部分に位置すると共に、第１可動ピンよりも後方に位置する第２可動ピンは、水平部分と段差状曲り部分の共通面に相当する支持面に入り込んでいることを特徴とする錠前のデッドボルト押し出し機構。
【請求項３】
請求項１において、クランクアームの一端部は、空洞状のデッドボルトのデッド用第１可動ピンに連結されていると共に、クランクアームの中間部分に設けられたクランク用第２可動ピンは案内部材の案内部に係合し、かつ、クランクアームの他端部は、ダルマの半径外方向に突起する第１連結突起に枢着されていることを特徴とする錠前のデッドボルト押し出し機構。
【請求項４】
請求項１において、デッドボルトが完全に突出した時、クランク用第２可動ピンは、デッドボルトの内端部の縦方向の端面と案内部の縦方向の支持面との間に落ち込むことを特徴とする錠前のデッドボルト押し出し機構。
【請求項５】
請求項１において、段差状曲り部分は後端面に向かってフック状に形成されていることを特徴とする錠前のデッドボルト押し出し機構。
【請求項６】
錠箱又は錠箱内に固定的に設けられた案内部材の案内部にスライド自在に案内されるデッドボルト、このデッドボルトの内端部側に設けられ、かつ、前記案内部の水平部分に案内されるデッド用第１可動ピン、この第１可動ピンに一端部が連結されていると共に、前記水平部分とは別個の段差状曲り部分に案内される第２可動ピンを有するクランクアーム、このクランクアームの他端部を軸支し、かつ、シリンダ錠又はサムターンの回転操作により所定量回転するように錠箱の軸受けに配設されたダルマを備える錠前のデッドボルト押し出し機構。  
【請求項７】
請求項６に於いて、施錠時、第１可動ピンは、前方の水平案内部分に位置すると共に、第２可動ピンは、後方の段差状曲り部分の支持面に入り込んでいることを特徴とする錠前のデッドボルト押し出し機構。
【発明の詳細な説明】
【技術分野】
【０００１】
本発明は、錠前のデッドボルト押し出し機構に関する。
【背景技術】
【０００２】
特許文献１は、非電気錠タイプの四角型錠箱に「ダルマ（デッドカムとも称されている）」と「デッドボルト」を設けた一例である。一方、特許文献２，３は、電気錠の縦型錠箱に「ダルマ」と「デッドボルト」を設けた各例である。
【０００３】
従来、非電気錠タイプの四角型錠前や電気錠タイプの縦型錠前は、デッドボルトの内端部側にハの字型又は逆ハの字型の前後突起（後端部にハの字型又は逆ハの字型の係止板が設けられているものも含む）を有し、所定間隔離間したこれらの係合突起にダルマの半径外方向に延びた作動アームが交互に係脱する構成であった。
【０００４】
特許文献１，２，３等の錠前から明らかなように、デッドボルトはダルマの作動アームが前側の係合突起の傾斜面の衝止部に衝突すると押し出され、一方、前記作動アームが後側の係合突起の傾斜面の衝止部に衝突すると錠箱内へと引き戻される。
【０００５】
以下、従来型の「デッドボルト」のことを「逆ハの字型デッド」と、一方、半径外方向に作動アームを有するダルマのことを「腕杆ダルマ」というが、「逆ハの字型デッド」と「腕杆ダルマ」は上記のような係合関係であることから、逆ハの字型デッドの長さを短くすることができない，逆ハの字型デッドの後方に他の部材を配設すると錠箱を大きくせざるを得ない，「腕杆ダルマ」は逆ハの字型デッドの衝止部にその作動アームが当たるように常に逆ハの字型デッドの上方或いは下方に配設しなければならない等の理由から、そのままではデッドボルトの後退方向への不正な攻撃に対して十分に対応することができない，錠箱をコンパクト化できない、或いは錠箱の内部空間を有効的に活用することができない、部品点数が多くなると設計の自由度が制約される等の問題点があった。
【特許文献１】特開２０００−２９１３０３号公報
【特許文献２】特許公開平７−１９７７０８号公報
【特許文献３】特許公開平８−３０３０７７号公報
【発明の開示】
【発明が解決しようとする課題】
【０００６】
本発明の第１の目的は、デッドボルトが錠箱から完全に突出した場合に、第三者から不正な攻撃を受けても、デッドボルトが容易に錠箱内に後退しないこと。第２の目的は、非電気錠タイプの錠前の場合には、錠箱をコンパクト化することができること。第３の目的は、電気錠タイプの錠前の場合には、錠箱の内部空間を有効的に活用することができること。
【課題を解決するための手段】
【０００７】
本発明の錠前のデッドボルト押し出し機構は、錠箱又は錠箱内に固定的に設けられた案内部材の案内部にスライド自在に案内されるデッドボルト、このデッドボルトの内端部側に設けられ、かつ、前記案内部の水平部分に案内されるデッド用第1可動ピン、この第１可動ピンに一端部が連結されていると共に、前記水平部分に続く段差状曲り部分に案内されるクランク用第２可動ピンを有するクランクアーム、このクランクアームの他端部を軸支し、かつ、シリンダ錠又はサムターンの回転操作により所定量回転するように錠箱の軸受けに配設されたダルマを備えることを特徴とする。  
【０００８】
上記構成に於いて、施錠時、第１及び第２可動ピンは、水平部分に位置すると共に、第１可動ピンよりも後方に位置する第２可動ピンは、水平部分と段差状曲り部分の共通面に相当する支持面に入り込んでいることを特徴とする。また、クランクアームの一端部は、空洞状のデッドボルトのデッド用第１可動ピンに連結されていると共に、クランクアームの中間部分に設けられたクランク用第２可動ピンは案内部材の案内部に係合し、かつ、クランクアームの他端部は、ダルマの半径外方向に突起する第１連結突起に枢着されていることを特徴とする。
【０００９】
なお、上記構成に於いて、案内部材の案内部の水平部分と段差状曲り部分とは一連でなく、別個であっても良い。
【発明の効果】
【００１０】
（１）デッドボルトとダルマとをクランクアームを介して合理的に連結したので、デッドボルトが錠箱から完全に突出した場合（施錠時）、第三者からの不正な攻撃を受けても、デッドボルトは容易に錠箱内に後退しない。付言すると、従来型の「逆ハの字型デッド」は、第三者から工具等を介して暴力的な攻撃（特に後退方向への攻撃）を受けると、「腕杆ダルマ」はその先端部で直接デッドボルトの係合突起（衝止部）の傾斜面を斜め方向から押さえつける格好であったのに対し、本発明では、クランクアームが、デッドボルトとダルマの間に介在し、そのクランク用第２可動ピン９と錠箱側の案内部材５の案内部８との係合関係を介して前記暴力的な攻撃を受け止めるので、デッドボルトが解錠方向へそう簡単には後退しない。したがって、デッドボルトに対する不正解錠を効果的に防止することができる。
【００１１】
（２）デッドボルトの長さを著しく短くすることができたので、非電気錠タイプの錠前の場合には、錠箱をコンパクト化することができる反面、電気錠タイプの錠前の場合には、錠箱の内部空間を有効的に活用することができる。したがって、設計の自由度が増える。
【００１２】
（３）請求項４に記載の実施例の場合には、解錠時、第２可動ピンは後端部分の弧状係止面に支持（拘束）されるので、不用意にデッドボルトが突出しない。
【発明を実施するための最良の形態】
【００１３】
以下、図１乃至図９に示す本発明を実施するための最良の形態により説明する。
【００１４】
（１）錠箱１
図１乃至図３を参照にして説明する。１は錠箱で、この錠箱１は扉の自由端部に取り付けられる。錠箱１は、普通一般にケース身と、ケース蓋と、フロントとを有する。本実施例の錠箱１も、普通一般に使用されている商品形態の大きさの（普通の大きさの意味合い）錠箱であり、ケース身１ａと、ケース蓋１ｂと、フロント１ｃとを有する。錠箱１の細部的事項は省略する。
【００１５】
（２）デッドボルト２
２は錠箱の案内部又は錠箱内に固定的に設けられた案内部材の案内部にスライド自在に案内されるデッドボルトで、このデッドボルト２は、フロント１ｃを基準にして水平方向にスライド自在に進退動（突出，後退）する。図１はデッドボルト２の外端部側２ａがフロント１ｃから突出した施錠時の状態、一方、図８はその外端部側２ａがフロント１ｃ側に後退した解錠時の状態である。図２は、図１を基準にした左側面図である。この図２を基準にすると、本実施例のデッドボルト２の端面形状は、左側面視下向きコ字型に形成されている。施錠時、この下向き凹内からカマデッド３の先端部側３ａが突出する。カマデッド３は、本発明の特定（限定）要件ではないが、デッドボルト２の進退動に伴ってその鉤状先端部側３ａがデッドボルト２の外端部側２ａから突出し、又は外端部側２ａ内へと後退する。
【００１６】
（３）錠箱又は案内部材の案内部
錠箱１の案内部又は錠箱１内に固定的に設けられた案内部材５の案内部６は、デッドボルト２をスライド自在に案内する。デッドボルト２を案内する手段５は、ケース身１ａとケース蓋１ｂにそれぞれ対向形成した一対の案内部（ガイド溝、ガイド孔など）６でも良いが、本実施例では各部品の組み合わせの効率化や位置決め容易化を考慮し、錠箱１とは別個の部材を用いている。案内部材５は、金属製又は合成樹脂製の単数の（例えば枠状）支持部材、又は２枚のガイド板である。
【００１７】
案内部材５は、本実施例では、図４で示すように金属製の一対の案内部材５を用いている。案内部材５はケース身１ａの内壁面側のものと、ケース蓋１ｂの内壁面側のものとが存在するが、両部材５，５には、説明の便宜上、同一の符号を付す。
【００１８】
図１では手前側（ケース蓋１ｂ側）の案内部材５を実線で示している。また、図３は手前側の案内部材５を取り外した状態の説明図である。そこで、図１及び図３を参照して案内部材５を説明する。案内部材５は、例えば横長状の板体に形成され、その先端面５ａはフロント１ｃ側に間隙を有さず（本実施例）、又は若干の間隙を有するように配設される。そして、その後端面５ｂとケース身１ａの後壁４との間には、他の部材（例えば電動モータに関係する駆動歯車，ダルマと関係する駆動アーム等）を配設することができる空間部分を設定する。
【００１９】
ところで、案内部材５の形態については特に限定するものではないが、望ましくは、ケース身１ａの後壁４と対向する端部の後端面５ｂを弧状に形成すべきである。そうすると、デッドボルト２の内端部２ｂの端面と前記後端面５ｂとの間に他の部材（例えば駆動歯車）を合理的に配設することができる（内部空間の有効的利用）。
【００２０】
さて、案内部材５の本質的事項について説明する。６はデッドボルト２を複数個の可動ピンを介して押出す又は引き戻すために案内部材５に形成した単数（本実施例）又は複数個の長孔案内部である。この長孔状案内部６は、本実施例では、水平部分６ａと、この水平部分６ａに連通する段差状曲り部分６ｂから成る。
【００２１】
図４で示すように、長孔案内部６は、水平部分６ａに段差状曲り部分６ｂを一連に形成した合計２個の可動ピン用の一つの係合長孔である。この長孔案内部６は、デッドボルト２が進退動する際には、デッドボルト２と一体のデッド用第１可動ピン７及びクランクアーム８と一体のクランク用第２可動ピン９を同時に案内する。
【００２２】
すなわち、図５で示すように、本実施例のデッドボルト２は、デッドカマ用の可動ピン１０及びデッド用第1可動ピン７をそれぞれ有するが、後者のデッド用第1可動ピン７の両端部はデッドボルト２の両側壁にそれぞれ形成した円形の貫通孔１１から突出し、かつ、案内部材５，５の対応する前記水平部分６ａにそれぞれ係合しているために、デッドボルト２が進退動する際には水平部分６ａに案内されて摺動する。
【００２３】
一方、クランクアーム８の一端部に横設された第２可動ピン９も、その一端部８ａと他端部８ｂの中間に相当する部分の両側壁にそれぞれ形成した円形の貫通孔１２から突出し、かつ、案内部材５の対応する段差状曲り部分６ｂにそれぞれ係合しているために、デッドボルト２が進退動する際には段差状曲り部分６ｂに案内されて摺動する。この場合第２可動ピン９は弧状の軌跡を描く。
【００２４】
ところで、前述した第１可動ピン７及び第２可動ピン９は、図１，図３で示す施錠時、案内部材５の水平部分６ａに位置すると共に、後方の第２可動ピン９は、水平部分６ａと段差状曲り部分６ｂの共通面に相当する縦方向支持面１３に入り込んでいる。本実施例の案内部６の段差状曲り部分６ｂは、前記縦方向支持面１３から後端面５ｂに向かって形成されている。したがって、施錠時、デッドボルト２が完全に突出した場合には、フック状の先端部にクランクアーム８の第２可動ピン９が落ち込み、該第２可動ピン９は前記縦方向支持面１３に支持（拘束）される。この時、第２可動ピン９はデッドボルト２の弧状に形成された後端面１４と前記縦方向支持面１３との間に挟まった状態となる。したがって、デッドボルト２は錠箱１内へ後退することが不可となる。
【００２５】
一方、第１可動ピン７及び第２可動ピン９は、図８で示す解錠時、デッドボルト２が錠箱１内に完全に後退した場合には、前方に位置する第１可動ピン７は案内部材５の水平部分６ａ或いは段差状曲り部分６ｂの前記縦方向支持面（共通支持面）１３に位置するのに対して、後方の第２可動ピン９は、フック状段差状曲り部分６ｂの後端部にクランクアーム８の第２可動ピン９が入り込み、該第２可動ピン９は後端部の弧状係止面１５に支持（拘束）される。この時、第２可動ピン９は段差状曲り部分６ｂの弧状係止面１５に多少落ち込んだ格好となる。
【００２６】
したがって、デッドボルト２が振動等により容易に突出しない。このように、本実施例の案内部材５の長孔案内部６は、複数個の支持面或いは係止面１３，１５を有し、施錠時及び解錠時の両方に於いて、クランクアーム８の第２可動ピン９を支持（拘束）し、前者の場合には、デッドボルト２が錠箱１内へ後退するのを防止し、一方、後者の場合には、デッドボルト２が錠箱１内から突出するのを防止している。
【００２７】
なお、案内部材５は錠箱１又は錠箱内に固定的に配設された固定部材に適宜に固定される。要は、案内部材５は固定部材であり、デッドボルト２を複数個の可動ピン７，９を介して押出す又は引き戻すため長孔案内部（長孔，長いカイド溝など）６を有していれば良い。
【００２８】
（４）デッドボルト２とカマデッド３
図５にデッドボルト２の一例が示されている。また、図１，図８等にデッドボルト２の進退動に連動するカマデッド３の一例が示されている。前述したように、デッドボルト２は「端面下向きコ字状」に形成されている。デッドボルト２は、カマデッド３，クランクアーム８との組み合わせの関係上空洞に形成され、例えば適宜箇所に切欠部を形成している。
【００２９】
一方、カマデッド３は鉤状に形成され、前述したデッドカマ用可動ピン１０、カマ長孔及び錠箱１のフロント１ｃ側のカマ軸１６を介して所定量回転可能に設けられている。
ところで、本実施例のデッドボルト２は、普通一般に使用されているデッドボルトの全長と比較すると相当短い（例えば３分の２程度の長さ）。また、デッドボルト２は、その内端部側２ｂにデッド用第１可動ピン７を横設するための貫通孔１１を有しているものの、従来のようにダルマの半径外方向に延びた作動アームが係脱する前後の傾斜突起（ハ又は逆ハの字型の係合突起や係合切欠溝）等を有していない。さらに、内端部側２ｂの後端面１４は、クランクアーム８の第２可動ピン９にスムースに支持されるように湾曲状に形成されている。
【００３０】
（５）ダルマ２１
ダルマ２１は、図示しないシリンダ錠又はサムターンの回転操作により所定量回転するように錠箱１の軸受け２２に配設されている。ダルマ２１は、錠箱１の中央部、後壁４寄りの部位等に配設することが可能であるが、本実施例では、一つの用途（例えば電気錠）を考慮して錠箱下部の後壁４寄りの部位に配設されている。
【００３１】
図６はダルマ２１の一例を示している。このダルマ２１の特徴は、従来のようにデッドの逆ハの字型突起や切欠溝に対する半径外方向の作動アームを有さない反面、クランクアーム８の他端部８ｂを、枢軸１７を介して軸支するための第１連結突起２３を有していることである。やや幅広の第１連結突起２３の先端部には、長孔状軸孔２４が形成されており、該軸孔２４及び枢軸１７を介してクランクアーム８の他端部８ｂがダルマ２１に連結されている。
【００３２】
本実施例のダルマ２１には、その余の連結突起も半径外方向に適宜に形成されている。すなわち、２５は第１連結突起２３に対して指を開いたように連設する第２連結突起で、この第２連結突起２５にはダルマ２１のポジション位置（施錠位置と解錠位置）に対応して所定方向に切り換え付勢する付勢手段３１が連結される。
【００３３】
ところで、付勢手段３１は、デッドボルト２とダルマ２１の間に配設され、棒状の連結杆３２と、この連結杆３２に巻装された付勢バネ３３とを含んでいる。そして、前記連結杆３２の一端部は連結ピン３４を介してダルマ２１の第２連結突起２５に連結されており、その他端部は錠箱１内に固定された柱状の案内手段３５に貫通状態に支持されている。
【００３４】
さらに、２６は第１連結突起２３及び第２連結突起２５に対して反対方向にヒレ状に突設された第３連結突起で、この第３連結突起２６は段差状に形成されている。第３連結突起２６には、周方向に遊び用の係合溝を有する駆動歯車２７に他端部が係合する駆動アーム２８の一端部が枢着される。なお、図示しない電動モータの駆動力により減速機構を介して回転する前記駆動歯車２７や駆動アーム２８は、必ずしも本発明の限定要件ではない。したがって、本発明の独立項の構成を含む電気錠も請求範囲に含まれる。
【００３５】
（６）クランクアーム８
クランクアーム８の一端部８ａは、空洞状のデッドボルト２のデッド用第1可動ピン７に連結されていると共に、クランクアーム８の中間部分に設けられたクランク用第２可動ピン９は案内部材５の案内部６に係合し、かつ、クランクアーム８の他端部８ｂは、ダルマ２１の半径外方向突起する第１連結突起２３に枢着されている。
【００３６】
本実施例のクランクアーム８は、図７で示すように一対のＬ形状の係合片と、これらの係合片を連結する連結板とを有している。本発明には関係がないが、クランクアーム８の端部には単数又は複数個の係合爪が形成されている。
【００３７】
前述したように、１２は一端部８ａと他端部８ｂの中間部分に形成された第２可動ピン９が貫通する円形の貫通孔である。この貫通孔１２を基準にすると、前方に相当する一端部８ａには第１可動ピン７用の貫通孔１８が、一方、角度方向の他端部８ｂには付勢手段３１の連結ピン３４用貫通孔１９がそれぞれ形成されている。
【００３８】
しかして、クランクアーム８の一端部８ａはデッド用第１可動ピン７を介してデッドボルト２に連結状態で枢着され、一方、その他端部８ｂはダルマ２１の第１連結突起２３に枢軸１７を介して連結状態で枢着されている。そして、クランク用第２可動ピン９は案内部材５の案内部６の水平部分６ａに続く段差状曲り部分６ｂに案内される
（７）細部的事項
錠箱１に固定した軸受け２２に設けたストッパー用突起とダルマ２１との当接関係、錠箱内のその余の空間部分に配設される電動モータ、減速歯車機構等は、本発明にとっては細部的事項なので、説明を割愛する。
【００３９】
（８）作用
本発明は、錠前のデッドボルト押し出し機構なので、図９を参照にしてデッドボルト２が、解錠状態（図８の状態）から施錠状態（図１の状態）へと押し出される場合について説明する。
【００４０】
図示しないシリンダ錠又はサムターンを回転操作すると、ダルマ２１は矢印Ａ方向（反時計方向）へ所定量回転する。図９の真ん中の図面は中途状態の説明図である。ダルマ２１は矢印Ａ方向に回転すると、デッド用可動ピン７は案内部６の水平部分６ａに案内される。同時にクランクアーム８の第２可動ピン９は案内部６の段差状曲り部分６ｂに案内される。この時付勢手段３１の連結杆３２はその付勢バネ３３のバネ力に抗して案内手段３５側に後退する。
【００４１】
クランクアーム８を介してダルマ２１の駆動力がデッドボルト２に伝わると、換言すればデッド用可動ピン７が前記水平部分６ａに案内されて矢印Ｂ方向へ移動すると、当然のことながらクランクアーム８の一端部８ａと一体のデッドボルト２は錠箱１から突出する。
【００４２】
しかして、デッドボルト２が錠箱１から完全に突出すると、図９の右図に示すようにクランク用第２可動ピン９は段差状曲り部６ｂの先端部分に落ち込み、案内部６の共用部分である縦方向（或いは垂直方向）の支持面１３に支持され得る状態となる。この時、クランク用第２可動ピン９は、デッドボルト２の内端部の縦方向の端面と案内部６の縦方向の支持面１３との間に落ち込み、デッドボルト２の後退を阻止する。このように本発明では、施錠時、デッドボルト２の内端部の縦方向の端面と案内部６の縦方向の支持面１３との間に横棒（クランク用第２可動ピン９）が交差状態に入り込み（割り込み）、デッドボルト２の後退を強固に阻止する。なお、案内部６の機能に関しては前述したとおりである。また、施錠時、付勢手段３１は、その付勢方向が切り替わる。
【実施例】
【００４３】
発明の実施の形態で示した実施例に於いて、図１０で示したように案内部材５Ａを設計変更し、案内部材５Ａの案内部６の水平部分６ａと段差状曲り部分６ｂとをそれぞれ別個独立に形成しても良い。このように一部を設計変更しても、本発明の第１の目的・効果を達成することができる。
【産業上の利用可能性】
【００４４】
本発明は、主に錠前や建具の業界で利用される。
【図面の簡単な説明】
【００４５】
図１乃至図９は本発明の最良の実施例を示す各説明図。図１０は本発明の案内部材の設計変更例を示す説明図。
【図１】本発明の一実施例を示す概略説明図（完全突出時）。
【図２】フロントから見た説明図。
【図３】図１に於いて、手前側の案内部材を取り外した場合の概略説明図。
【図４】案内部材の説明図。
【図５】デッドボルトの説明図。
【図６】ダルマの説明図。
【図７】クランクアームの説明図。
【図８】デッドボルトが後退した時の概略説明図（完全後退時）。
【図９】作用の概略説明図。
【図１０】本発明の案内部材の設計変更例を示す説明図。
【符号の説明】
【００４６】
1…錠箱、２…デッドボルト、３…カマデッド、４…後壁、５，５Ａ…案内部材、６…案内部、６ａ…水平部分、６ｂ…段差状曲り部分、７…第１可動ピン、８…クランクアーム、８ａ…一端部、８ｂ…他端部、９…第２可動ピン、１０…デッドカマ用可動ピン、１１，１２，１８，１９…貫通孔、１３…縦方向支持面、１４…後端面、１５…弧状係止面、１６…カマ軸、２１…ダルマ、２２…軸受け、２３…第１連結突起、２４…軸孔、２５…第２連結突起、２６…第３連結突起、３１…付勢手段、３２…連結杆、３３…付勢バネ、３４…連結ピン、３５…柱状案内手段。
【図１】
2006125058.tif 000003
【図２】
2006125058.tif 000004
【図３】
2006125058.tif 000005
【図４】
2006125058.tif 000006
【図５】
2006125058.tif 000007
【図６】
2006125058.tif 000008
【図７】
2006125058.tif 000009
【図８】
2006125058.tif 000010
【図９】
2006125058.tif 000011
【図１０】
2006125058.tif 000012